(57)【特許請求の範囲】
【請求項１】
人物の撮像画像から認識される前記人物の行動パターンに基づいて広告の有効性を判断する広告判断部を備え、
前記広告判断部は、前記人物の行動パターンが、前記広告を見る動作、および前記広告を見る動作の後に行う特定の動作の組合せからなる規定パターンであるか否かに応じて前記広告の有効性を判断し、
前記規定パターンは前記広告ごとに設定されており、
前記広告判断部は、前記人物の行動パターンが、前記広告に対応する規定パターンであるか否かに応じて前記広告の有効性を判断し、
前記広告は、携帯端末の操作を誘導する表示を含み、
前記広告に対応する規定パターンは、前記特定の動作として前記携帯端末の操作を規定する、広告管理装置。
【請求項２】
人物の撮像画像から認識される前記人物の行動パターンに基づいて広告の有効性を判断する広告判断部を備え、
前記広告判断部は、前記人物の行動パターンが、前記広告を見る動作、および前記広告を見る動作の後に行う特定の動作の組合せからなる規定パターンであるか否かに応じて前記広告の有効性を判断し、
前記規定パターンは前記広告ごとに設定されており、
前記広告判断部は、前記人物の行動パターンが、前記広告に対応する規定パターンであるか否かに応じて前記広告の有効性を判断し、
前記広告は、前記広告についての頒布物を前記人物が取ることを誘導する表示を含み、
前記広告に対応する規定パターンは、前記特定の動作として前記頒布物を取る動作を規定する、広告管理装置。
【請求項３】
人物の撮像画像から認識される前記人物の行動パターンに基づいて広告の有効性を判断する広告判断部を備え、
前記広告判断部は、前記人物の行動パターンが、前記広告を見る動作、および前記広告を見る動作の後に行う特定の動作の組合せからなる規定パターンであるか否かに応じて前記広告の有効性を判断し、
前記規定パターンは前記広告ごとに設定されており、
前記広告判断部は、前記人物の行動パターンが、前記広告に対応する規定パターンであるか否かに応じて前記広告の有効性を判断し、
前記広告の近傍には前記広告についての関連広告が配置され、
前記広告に対応する規定パターンは、前記特定の動作として前記関連広告を見る動作を規定する、広告管理装置。
【請求項４】
前記広告は表示装置に表示される、請求項１〜３のいずれか一項に記載の広告管理装置。
【発明の詳細な説明】
【技術分野】
【０００１】
本発明は、広告管理装置、広告管理方法、プログラムおよび広告管理システムに関する。
【背景技術】
【０００２】
近日、公共の場に設置された表示装置に広告コンテンツを表示させる電子広告システム（あるいは、電子掲示板システム）が普及しつつある。この電子広告システムによれば、画面の切替えにより多様な広告コンテンツを不特定多数の人物に提供することができる。
【０００３】
また、電子広告システムにより提供される広告コンテンツの有効性を判断する方法も知られている。例えば、特許文献１には、人物を撮像し、人物の撮像画像から人物の視線が広告コンテンツに向けられたことを検知することにより、広告コンテンツの有効性を判断するシステムが開示されている。
【先行技術文献】
【特許文献】
【０００４】
【特許文献１】特開２００８−２４３０５８号公報
【発明の概要】
【発明が解決しようとする課題】
【０００５】
しかし、人物の視線が広告コンテンツに向けられていたとしても、人物が広告コンテンツを意識して見ていない場合、すなわち、人物が広告内容を認識していない場合がある。このため、人物が広告コンテンツを「見た」か否かの判断だけでは、広告コンテンツの有効性を適確に判断することは困難である。
【０００６】
そこで、本発明は、上記問題に鑑みてなされたものであり、本発明の目的とするところは、広告の有効性の判断精度を向上することが可能な、新規かつ改良された広告管理装置、広告管理方法、プログラムおよび広告管理システムを提供することにある。
【課題を解決するための手段】
【０００７】
上記課題を解決するために、本発明のある観点によれば、人物の撮像画像から認識される前記人物の行動パターンに基づいて広告の有効性を判断する広告判断部を備え、前記広告判断部は、前記人物の行動パターンが、前記広告を見る動作、および前記広告を見る動作の後に行う特定の動作の組合せからなる規定パターンであるか否かに応じて前記広告の有効性を判断し、前記規定パターンは前記広告ごとに設定されており、前記広告判断部は、前記人物の行動パターンが、前記広告に対応する規定パターンであるか否かに応じて前記広告の有効性を判断し、前記広告は、携帯端末の操作を誘導する表示を含み、前記広告に対応する規定パターンは、前記特定の動作として前記携帯端末の操作を規定する、広告管理装置が提供される。
【０００８】
上記課題を解決するために、本発明のある観点によれば、人物の撮像画像から認識される前記人物の行動パターンに基づいて広告の有効性を判断する広告判断部を備え、前記広告判断部は、前記人物の行動パターンが、前記広告を見る動作、および前記広告を見る動作の後に行う特定の動作の組合せからなる規定パターンであるか否かに応じて前記広告の有効性を判断し、前記規定パターンは前記広告ごとに設定されており、前記広告判断部は、前記人物の行動パターンが、前記広告に対応する規定パターンであるか否かに応じて前記広告の有効性を判断し、前記広告は、前記広告についての頒布物を前記人物が取ることを誘導する表示を含み、前記広告に対応する規定パターンは、前記特定の動作として前記頒布物を取る動作を規定する、広告管理装置が提供される。
【０００９】
上記課題を解決するために、本発明のある観点によれば、人物の撮像画像から認識される前記人物の行動パターンに基づいて広告の有効性を判断する広告判断部を備え、前記広告判断部は、前記人物の行動パターンが、前記広告を見る動作、および前記広告を見る動作の後に行う特定の動作の組合せからなる規定パターンであるか否かに応じて前記広告の有効性を判断し、前記規定パターンは前記広告ごとに設定されており、前記広告判断部は、前記人物の行動パターンが、前記広告に対応する規定パターンであるか否かに応じて前記広告の有効性を判断し、前記広告の近傍には前記広告についての関連広告が配置され、前記広告に対応する規定パターンは、前記特定の動作として前記関連広告を見る動作を規定する、広告管理装置が提供される。
【００１２】
前記広告は表示装置に表示されてもよい。
【発明の効果】
【００１６】
以上説明したように本発明によれば、広告の有効性の判断精度を向上することが可能である。
【図面の簡単な説明】
【００１７】
【図１】本発明の実施形態による電子広告システムの構成を示した説明図である。
【図２】広告コンテンツの一例を示した説明図である。
【図３】広告コンテンツの他の例を示した説明図である。
【図４】広告コンテンツの他の例を示した説明図である。
【図５】本実施形態による表示制御装置の構成を示した機能ブロック図である。
【図６】表示スケジュールの具体例を示した説明図である。
【図７】表示履歴の具体例を示した説明図である。
【図８】行動データの具体例を示した説明図である。
【図９】本実施形態による広告管理サーバの構成を示した機能ブロック図である。
【図１０】参照識別データの具体例を示した説明図である。
【図１１】広告効果の第１の判定例を示した説明図である。
【図１２】広告効果の第２の判例例を示した説明図である。
【図１３】広告効果の第３の判例例を示した説明図である。
【図１４】広告効果の判定結果の具体例を示した説明図である。
【図１５】本実施形態による電子広告システムの動作を示したシーケンス図である。
【発明を実施するための形態】
【００１８】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて表示装置３０Ａおよび３０Ｂのように区別する。ただし、実質的に同一の機能構成を有する複数の構成要素の各々を特に区別する必要がない場合、同一符号のみを付する。例えば、表示装置３０Ａおよび３０Ｂを特に区別する必要が無い場合には、表示装置３０と称する。
【００２０】
＜１．電子広告システムの構成＞
まず、図１を参照し、本発明の実施形態による電子広告システムの構成を説明する。なお、以下では、「顧客」という用語を人物と等価な意味で用いて説明を進める。
【００２１】
図１は、本発明の実施形態による電子広告システムの構成を示した説明図である。図１に示したように、本発明の実施形態による電子広告システムは、表示制御装置１０と、通信網１２と、広告管理サーバ２０と、表示装置３０Ａおよび３０Ｂと、撮像装置４０と、管理者ＰＣ（Ｐｅｒｓｏｎａｌ  Ｃｏｍｐｕｔｅｒ）５０と、パンフレット６２とを備える。
【００２２】
広告管理サーバ２０は、管理者ＰＣ５０からのアクセスに従い、広告コンテンツの登録、設定などを行う広告管理装置である。また、広告管理サーバ２０は、各広告コンテンツをどの表示装置３０でどの時間帯に表示するかを示す表示スケジュールを登録、設定する。このような広告管理サーバ２０は、通信網１２を介して表示制御装置１０と接続されており、登録した広告コンテンツや表示スケジュールを表示制御装置１０に配信する。
【００２３】
なお、通信網１２は、通信網１２に接続されている装置から送信される情報の有線、または無線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２４】
表示装置３０は、表示制御装置１０による制御に従って広告コンテンツを表示する。なお、表示装置３０は、ＣＲＴ（Ｃａｔｈｏｄｅ  Ｒａｙ  Ｔｕｂｅ）ディスプレイ装置、液晶ディスプレイ（ＬＣＤ）装置、またはＯＬＥＤ（Ｏｒｇａｎｉｃ  Ｌｉｇｈｔ  Ｅｍｉｔｔｉｎｇ  Ｄｉｏｄｅ）装置であってもよい。
【００２５】
パンフレット６２は、不特定多数の顧客に対する頒布物である。パンフレット６２は、例えば表示装置３０に表示される広告コンテンツに関する詳細情報やクーポン情報などを含んでもよい。
【００２６】
撮像装置４０は、表示装置３０を視認可能な範囲の少なくとも一部を撮像する。このため、表示装置３０に表示された広告コンテンツを見ている顧客が存在する場合、撮像装置４０は当該顧客を撮像することにより、当該顧客の撮像画像を得ることができる。
【００２７】
表示制御装置１０は、広告管理サーバ２０から配信される広告コンテンツおよび表示スケジュールに従って表示装置３０に広告コンテンツを表示させる。また、表示制御装置１０は、撮像装置４０により得られた撮像画像から顧客の行動パターンを抽出し、抽出結果を広告管理サーバ２０に送信する。
【００２８】
（背景）
ところで、企業のマーケティング戦略上、上述した広告コンテンツの顧客への訴求効果を評価することは重要である。このため、電子広告システムにより提供される広告コンテンツの有効性を判断する方法が研究されている。例えば、人物を撮像し、人物の撮像画像から人物の視線が広告に向けられたことを検知することにより、広告コンテンツの有効性を判断するシステムが知られている。
【００２９】
しかし、人物の視線が広告に向けられていたとしても、人物が広告を意識して見ていない場合、すなわち、人物が広告内容を認識していない場合がある。このため、人物が広告を「見た」か否かの判断だけでは、広告の有効性を適確に判断することは困難である。
【００３０】
そこで、上記事情を一着眼点にして本発明の実施形態を創作するに至った。本発明の実施形態によれば、広告の有効性の判断精度を向上することが可能である。以下、このような本発明の実施形態について説明を進める。
【００３１】
＜２．本実施形態による電子広告システムの概要＞
本実施形態による電子広告システムでは、広告コンテンツの有効性の判断精度を向上するために、顧客の撮像画像から認識される顧客の行動パターンに基づいて広告コンテンツの有効性を判断する。より詳細には、顧客の行動パターンが、広告コンテンツを見る動作、および広告コンテンツを見る動作の後に行う特定の動作の組合せからなる規定の識別パターンであるか否かに応じて広告コンテンツの有効性を判断する。
【００３２】
ここで、特定の動作、すなわち、広告コンテンツを見る動作の後に顧客が行うことが予想される動作は、広告コンテンツに応じて異なる。このため、本実施形態では、広告ごとに識別パターンが設定される。以下、広告コンテンツと特定の動作の関係の具体例を説明する。
【００３３】
図２は、広告コンテンツの一例を示した説明図である。図２に示したように、広告コンテンツ＃１は、画像認識により識別される二次元コード７２を含む。この広告コンテンツ＃１を見て広告コンテンツ＃１の広告対象に興味を持った顧客は、携帯端末を操作して二次元コード７２を撮像することが予想される。このため、広告コンテンツ＃１については、顧客が広告コンテンツ＃１を見て、携帯端末を操作した、という行動に基づいて有効性を評価することが適切である。
【００３４】
そこで、本実施形態による電子広告システムは、広告コンテンツ＃１に対応する行動の識別パターンとして、広告コンテンツ＃１を見る動作、および携帯端末の操作の組合せを識別パターンとして設定し、顧客の行動パターンが当該識別パターンに合致するか否かに基づいて広告コンテンツ＃１の有効性を評価してもよい。
【００３５】
なお、上記では、広告コンテンツ＃１が二次元バーコードを含む例を説明したが、広告コンテンツを見る動作、および携帯端末の操作の組合せが識別パターンとして設定される広告コンテンツはかかる例に限定されない。例えば、「詳細情報はＷＥＢで」や「問合せ先電話番号は、・・・」というメッセージが含まれる広告コンテンツを見た顧客も携帯端末を操作することが考えられるので、このようなメッセージが含まれる広告コンテンツにも広告コンテンツを見る動作、および携帯端末の操作の組合せを識別パターンとして設定してもよい。
【００３６】
図３は、広告コンテンツの他の例を示した説明図である。図３に示したように、広告コンテンツ＃２は、「パンフレットにクーポン券が入ってます！」という、顧客にパンフレットを取ることを誘導する表示を含む。この広告コンテンツ＃２を見て広告コンテンツ＃２の広告対象に興味を持った顧客は、パンフレット６２を取ることが予想される。このため、広告コンテンツ＃２については、顧客が広告コンテンツ＃２を見て、パンフレット６２を取った、という行動に基づいて有効性を評価することが適切である。
【００３７】
そこで、本実施形態による電子広告システムは、広告コンテンツ＃２に対応する行動の識別パターンとして、広告コンテンツ＃２を見る動作、およびパンフレットを取る動作の組合せを識別パターンとして設定し、顧客の行動パターンが当該識別パターンに合致するか否かに基づいて広告コンテンツ＃２の有効性を評価してもよい。
【００３８】
図４は、広告コンテンツの他の例を示した説明図である。図４に示したように、表示装置３０Ａに表示される広告コンテンツ＃３は、「ここから徒歩２分」というＸＸＸレストランについての簡単な情報を含み、表示装置３０Ｂに表示される広告コンテンツ＃４は、ＸＸＸレストランの地図上の詳細な位置表示を含む広告コンテンツ＃３の関連広告である。
【００３９】
このため、広告コンテンツ＃３を見てＸＸＸレストランに興味を持った顧客は、ＸＸＸレストランの詳細な位置表示を含む広告コンテンツ＃４を見ることが予想される。すなわち、広告コンテンツ＃３については、顧客が広告コンテンツ＃３を見て、その後広告コンテンツ＃４を見た、という行動に基づいて有効性を評価することが適切である。
【００４０】
そこで、本実施形態による電子広告システムは、広告コンテンツ＃３に対応する行動の識別パターンとして、広告コンテンツ＃３を見る動作、および広告コンテンツ＃４を見る動作の組合せを識別パターンとして設定し、顧客の行動パターンが当該識別パターンに合致するか否かに基づいて広告コンテンツ＃３の有効性を評価してもよい。
【００４１】
このように、本実施形態によれば、各広告コンテンツについて、顧客が単に広告コンテンツを見たか否かというだけでなく、広告コンテンツを見た後に広告コンテンツに応じた特定の動作を行ったか否かに基づいて広告コンテンツの有効性を判断する。したがって、本実施形態によれば、広告の有効性の判断精度を向上することが可能である。以下、このような電子広告システムの実現形態をより詳細に説明する。
【００４２】
＜３．表示制御装置の構成＞
図５は、本実施形態による表示制御装置１０の構成を示した機能ブロック図である。図５に示したように、本実施形態による表示制御装置１０は、通信部１０４と、広告コンテンツ記憶部１０８と、表示スケジュール記憶部１１２と、表示制御部１１６と、表示履歴記憶部１２０と、画像記録部１２４と、撮像画像記憶部１２８と、行動抽出部１３２と、行動データ記憶部１３６と、を備える。
【００４３】
（通信部）
通信部１０４は、広告管理サーバ２０とのインタフェースであり、広告管理サーバ２０から通信網１２を介して情報を受信する受信部、および広告管理サーバ２０に通信網１２を介して情報を送信する送信部として機能する。例えば、通信部１０４は、広告管理サーバ２０から広告コンテンツ、および表示スケジュールを受信し、表示履歴および行動データを広告管理サーバ２０に送信する。
【００４４】
（広告コンテンツ記憶部）
広告コンテンツ記憶部１０８は、広告管理サーバ２０から配信された広告コンテンツを記憶する。広告コンテンツは、コンテンツＩＤおよびコンテンツ名称などの属性情報を含んでもよい。
【００４５】
（表示スケジュール記憶部）
表示スケジュール記憶部１１２は、広告管理サーバ２０から配信された広告コンテンツの表示スケジュールを記憶する。表示スケジュールは、対象の広告コンテンツのコンテンツＩＤ、および表示時刻などを含む。以下、図６を参照し、表示スケジュールの具体例を説明する。
【００４６】
図６は、表示スケジュールの具体例を示した説明図である。図６に示したように、表示スケジュールは、スケジュールＮｏ、コンテンツＩＤ、装置ＩＤ、表示開始時刻、表示終了時刻、および識別パターンを含む。
【００４７】
スケジュールＮｏは、各エントリの識別番号で、例えば各エントリに通し番号が付される。コンテンツＩＤは、表示対象の広告コンテンツのコンテンツＩＤであり、装置ＩＤは、表示対象の広告コンテンツを表示する表示装置３０のＩＤである。なお、本明細書では、説明の便宜上、表示装置３０の符号の末尾に付したアルファベットが装置ＩＤであるものとする。表示開始時刻は、対象の広告コンテンツの表示を開示する時刻を示し、表示終了時刻は、広告コンテンツの表示を終了する時刻を示す。識別パターンは、対象の広告コンテンツの有効性を判断する際に用いられる行動の識別パターンである。
【００４８】
例えば、スケジュールＮｏ「１」のスケジュールは、広告コンテンツ＃１を、表示装置３０Ａで、時刻ｔ１から時刻ｔ６の間に表示する予定を示す。また、広告コンテンツ＃１の有効性は、顧客の行動パターンが広告コンテンツ＃１を表示する表示装置３０Ａを見る動作、および携帯端末の操作の組合せからなる識別パターンに合致するか否かに基づいて判断される。
【００４９】
（表示制御部）
表示制御部１１６は、表示スケジュール記憶部１１２が記憶する表示スケジュールに従い、広告コンテンツ記憶部１０８が記憶する広告コンテンツを表示装置３０に表示させる。例えば、表示制御部１１６は、スケジュールＮｏ「１」のスケジュールに従い、広告コンテンツ＃１を、表示装置３０Ａで、時刻ｔ１から時刻ｔ６の間に渡って表示させる。
【００５０】
（表示履歴記憶部）
表示履歴記憶部１２０は、表示制御部１１６の制御により表示されたコンテンツの履歴を記憶する。以下、図７を参照し、この表示履歴の具体例を説明する。
【００５１】
図７は、表示履歴の具体例を示した説明図である。図７に示したように、表示履歴は、表示履歴Ｎｏ、スケジュールＮｏ、表示開始時刻および表示終了時刻を含む。表示履歴Ｎｏは、各エントリの識別番号で、例えば各エントリに通し番号が付される。スケジュールＮｏは、実際に表示を行った広告コンテンツについてのスケジュールＮｏであり、表示開始時刻は、広告コンテンツの表示を実際に開始した時刻を示し、表示終了時刻は、広告コンテンツの表示を実際に終了した時刻を示す。
【００５２】
（画像記録部、撮像画像記憶部）
画像記録部１２４は、撮像装置４０から撮像画像が入力され、入力された撮像画像を撮像画像記憶部１２８に記録する。撮像画像記憶部１２８は、画像記録部１２４により記録された撮像画像を記憶する。
【００５３】
（行動抽出部）
行動抽出部１３２は、撮像画像記憶部１２８が記憶する撮像画像に基づき、撮像画像に含まれる顧客の行動パターンを抽出（認識）する。そして、行動抽出部１３２は、抽出した行動パターンを含む行動データを行動データ記憶部１３６に記録する。なお、各広告コンテンツで抽出すべき行動が指定されている場合、行動抽出部１３２は指定されている行動についてのパターンのみを抽出してもよい。例えば、ある広告コンテンツについて視線認識のみが指定されている場合、行動抽出部１３２は、当該広告コンテンツについては視線認識のみに基づいて顧客の行動パターンを抽出してもよい。
【００５４】
（行動データ記憶部）
行動データ記憶部１３６は、行動抽出部１３２により抽出された行動パターンを含む行動データを記憶する。以下、図８を参照し、この行動データの具体例を説明する。
【００５５】
図８は、行動データの具体例を示した説明図である。図８に示したように、行動データは、行動データＮｏ、表示履歴Ｎｏ、顧客識別ＩＤ、行動開始時刻、行動終了時刻、および行動パターンを含む。
【００５６】
行動データＮｏは、各エントリの識別番号で、例えば各エントリに通し番号が付される。また、行動データにおける表示履歴Ｎｏは、顧客による行動が抽出された時に表示されていた広告コンテンツの表示履歴を示す。顧客識別ＩＤは、行動が抽出された顧客の識別子である。行動開始時刻は、顧客の行動が始まった時刻を示し、行動終了時刻は顧客の行動が終了した時刻を示す。また、行動データにおける行動パターンは、行動抽出部１３２により抽出された行動パターンである。
【００５７】
例えば、行動データＮｏ「１」の行動データは、表示履歴Ｎｏ「１」に対応する広告コンテンツの表示中の時刻ｔ２〜ｔ３の間に、顧客Ａについて表示装置３０Ａを見た、携帯端末を操作したという行動パターンが抽出されたことを示す。
【００５８】
このような行動データは、表示履歴記憶部１２０が記憶する表示履歴と共に、通信部１０４から広告管理サーバ２０に送信される。
【００５９】
＜４．広告管理サーバの構成＞
以上、本実施形態による表示制御装置１０の構成を説明した。続いて、本実施形態による広告管理サーバ２０の構成を説明する。
【００６０】
図９は、本実施形態による広告管理サーバ２０の構成を示した機能ブロック図である。図９に示したように、本実施形態による表示制御装置１０は、通信部２０４と、広告管理部２０６と、広告コンテンツ記憶部２０８と、表示スケジュール記憶部２１２と、参照識別データ記憶部２１４と、広告配信部２１６と、履歴情報収集部２１８と、表示履歴記憶部２２０と、広告効果判定部２２４と、広告効果記憶部２２８と、行動データ記憶部２３６と、を備える。
【００６１】
（通信部）
通信部２０４は、通信網１２を介して１または２以上の表示制御装置１０と接続され、表示制御装置１０から通信網１２を介して情報を受信する受信部、および表示制御装置１０に通信網１２を介して情報を送信する送信部として機能する。例えば、通信部２０４は、表示制御装置１０から表示履歴および行動データなどを受信し、表示制御装置１０に広告コンテンツおよび表示スケジュールなどを送信する。
【００６２】
（広告管理部）
広告管理部２０６は、管理者ＰＣ５０からのアクセスに従い、広告コンテンツの登録および設定、表示スケジュールの登録および設定を行う。また、各広告コンテンツの効果を判定するための参照識別データを定義する。
【００６３】
（広告コンテンツ記憶部）
広告コンテンツ記憶部２０８は、１または２以上の表示制御装置１０の各々に配信するための広告コンテンツを記憶する。なお、広告コンテンツは、コンテンツＩＤおよびコンテンツ名称などの属性情報を含んでもよい。
【００６４】
（表示スケジュール記憶部）
表示スケジュール記憶部２１２は、１または２以上の表示制御装置１０の各々に配信するための表示スケジュールを記憶する。この表示スケジュールは、図６を参照して説明したように、対象の広告コンテンツのコンテンツＩＤ、および表示時刻などを含む。
【００６５】
（参照識別データ記憶部）
参照識別データ記憶部２１４は、各広告コンテンツの効果を判定するための参照識別データを記憶する。以下、図１０を参照し、参照識別データの具体例を説明する。
【００６６】
図１０は、参照識別データの具体例を示した説明図である。図１０に示したように、参照識別データは、スケジュールＮｏと参照識別パターンの対応関係を規定する。例えば、スケジュールＮｏ「１」は、「表示装置３０Ａを見る」および「携帯端末を操作」という参照識別パターンと対応付けられる。ここで、スケジュールＮｏ「１」は、図６に示したように広告コンテンツ＃１に対応するので、広告コンテンツ＃１の効果を判定するために、「表示装置３０Ａを見る」および「携帯端末を操作」という参照識別パターンが用いられることになる。
【００６７】
なお、図１０においては参照識別データがスケジュールＮｏと参照識別パターンの対応関係を規定する例を示したが、参照識別データのデータ構成はかかる例に限定されない。例えば、参照識別データは、コンテンツＩＤと参照識別パターンの対応関係を規定してもよい。
【００６８】
（広告配信部）
広告配信部２１６は、通信部２０４を介して、広告コンテンツ記憶部２０８が記憶する広告コンテンツ、および表示スケジュール記憶部２１２が記憶する表示スケジュールを表示制御装置１０に配信する。
【００６９】
（履歴情報収集部、表示履歴記憶部、行動データ記憶部）
履歴情報収集部２１８は、通信部２０４を介して、表示制御装置１０から表示履歴および行動データなどの履歴情報を収集する。表示履歴記憶部２２０は、履歴情報収集部２１８により収集された表示履歴を記憶し、行動データ記憶部２３６は、履歴情報収集部２１８により収集された行動データを記憶する。なお、表示履歴については図７を参照して説明したとおりであり、行動データについては図８を参照して説明した通りであるので、ここでの詳細な説明を省略する。
【００７０】
（広告効果判定部）
広告効果判定部２２４は、行動データ記憶部２３６が記憶する行動データと、参照識別データ記憶部２１４が記憶する参照識別データとの関係に基づいて、各広告コンテンツの広告効果を判定する。以下、図１１〜図１３を参照し、広告効果の判定方法についてより具体的に説明する。
【００７１】
−第１の判定例
図１１は、広告効果の第１の判定例を示した説明図である。図１１に示したように、広告コンテンツ＃１が時刻ｔ１〜時刻ｔ６に渡って表示されたことを表示履歴が示し、顧客Ａについて時刻ｔ２〜ｔ３の間に「表示装置３０Ａを見る、携帯端末を操作」という行動が抽出されたことを行動データが示し、また、顧客Ｂについて時刻ｔ４〜ｔ５の間に「表示装置３０Ａを見る」という行動が抽出されたことを行動データが示す場合を考える。
【００７２】
ここで、広告コンテンツ＃１が図６に示したようにスケジュールＮｏ「１」のスケジュールに対応し、スケジュールＮｏ「１」が図１０に示したように「表示装置３０Ａを見る」および「携帯端末を操作」という参照識別パターンに対応するものとする。
【００７３】
この場合、顧客Ａについて抽出された「表示装置３０Ａを見る、携帯端末を操作」という行動は、参照識別パターンと一致する。このため、広告効果判定部２２４は、スケジュールＮｏ「１」に対応する広告コンテンツ＃１は顧客Ａに対して広告効果が有ったと判定する。なお、顧客の「携帯端末を操作」という動作は、対象の広告コンテンツの表示後に行われる場合もあり得る。このため、広告効果判定部２２４は、「携帯端末を操作」という動作が広告コンテンツの表示後に抽出された場合にも、当該広告コンテンツの広告効果が有ったと判定してもよい。
【００７４】
一方、顧客Ｂについて抽出された「表示装置３０Ａを見る」という行動は、参照識別パターンと一致しない。このため、広告効果判定部２２４は、スケジュールＮｏ「１」に対応する広告コンテンツ＃１は顧客Ｂに対して広告効果が無かったと判定する。
【００７５】
−第２の判定例
図１２は、広告効果の第２の判例例を示した説明図である。図１２に示したように、広告コンテンツ＃２が時刻ｔ７〜時刻ｔ８に渡って表示されたことを表示履歴が示し、顧客Ａ’について「表示装置３０Ａを見る、携帯端末を操作」という行動が抽出されたことを行動データが示し、また、顧客Ｂ’について「表示装置３０Ａを見る」という行動が抽出されたことを行動データが示す場合を考える。
【００７６】
ここで、広告コンテンツ＃２が図６に示したようにスケジュールＮｏ「２」のスケジュールに対応し、スケジュールＮｏ「２」が図１０に示したように「表示装置３０Ａを見る」および「パンフレットを取る」という参照識別パターンに対応するものとする。
【００７７】
この場合、顧客Ａ’について抽出された「表示装置３０Ａを見る、パンフレットを取る」という行動は、参照識別パターンと一致する。このため、広告効果判定部２２４は、スケジュールＮｏ「２」に対応する広告コンテンツ＃２は顧客Ａ’に対して広告効果が有ったと判定する。なお、顧客の「パンフレットを取る」という動作は、対象の広告コンテンツの表示後に行われる場合もあり得る。このため、広告効果判定部２２４は、「パンフレットを取る」という動作が広告コンテンツの表示後に抽出された場合にも、当該広告コンテンツの広告効果が有ったと判定してもよい。
【００７８】
一方、顧客Ｂ’について抽出された「表示装置３０Ａを見る」という行動は、参照識別パターンと一致しない。このため、広告効果判定部２２４は、スケジュールＮｏ「２」に対応する広告コンテンツ＃２は顧客Ｂ’に対して広告効果が無かったと判定する。
【００７９】
−第３の判定例
図１３は、広告効果の第３の判例例を示した説明図である。図１３に示したように、広告コンテンツ＃３が時刻ｔ９〜時刻ｔ１０に渡って表示されたことを表示履歴が示し、顧客Ａ”について「表示装置３０Ａを見る、表示装置３０Ｂを見る」という行動が抽出されたことを行動データが示す場合を考える。
【００８０】
ここで、広告コンテンツ＃３が図６に示したようにスケジュールＮｏ「３」のスケジュールに対応し、スケジュールＮｏ「３」が図１０に示したように「表示装置３０Ａを見る」および「表示装置３０Ｂを見る」という参照識別パターンに対応するものとする。
【００８１】
この場合、顧客Ａ”について抽出された「表示装置３０Ａを見る、表示装置３０Ｂを見る」という行動は、参照識別パターンと一致する。このため、広告効果判定部２２４は、スケジュールＮｏ「３」に対応する広告コンテンツ＃３は顧客Ａ”に対して広告効果が有ったと判定する。
【００８２】
（広告効果記憶部）
図９に示した広告効果記憶部２２８は、広告効果判定部２２４により得られた広告効果の判定結果を記憶する。以下、図１４を参照し、広告効果の判定結果の具体例を説明する。
【００８３】
図１４は、広告効果の判定結果の具体例を示した説明図である。図１４に示したように、広告効果記憶部２２８は、スケジュールＮｏ、行動データＮｏ、顧客ＩＤ、および広告効果の有無を対応付けて記憶する。なお、図１４に示した判定結果は、上述した第１の判定例〜第３の判定例で説明した広告効果の判定結果である。このような広告効果の判定結果は、外部装置から参照可能である。
【００８４】
＜５．電子広告システムの動作＞
以上、本実施形態による表示制御装置１０および広告管理サーバ２０の構成を説明した。続いて、図１５を参照し、本実施形態による電子広告システムの動作を整理する。
【００８５】
図１５は、本実施形態による電子広告システムの動作を示したシーケンス図である。図１５に示したように、まず、管理者ＰＣ５０が広告管理サーバ２０に広告コンテンツや表示スケジュールの登録、設定を指示すると（Ｓ３０４）、広告管理サーバ２０の広告管理部２０６は、広告コンテンツの登録、表示スケジュールの登録および参照識別データの定義を行う（Ｓ３０８、Ｓ３１２、Ｓ３１６）。
【００８６】
その後、広告管理サーバ２０の広告配信部２１６が、広告コンテンツや表示スケジュールを表示制御装置１０に配信する（Ｓ３２０）。
【００８７】
続いて、表示制御装置１０の表示制御部１１６は、表示スケジュールに従って表示装置３０に広告コンテンツを表示させ（Ｓ３２４）、表示履歴記憶部１２０に広告コンテンツの表示履歴を記録する（Ｓ３２８）。
【００８８】
一方、撮像装置４０は表示装置３０を視認可能な範囲の少なくとも一部を継続的に撮像しており（Ｓ３３２）、撮像により得られた撮像画像を表示制御装置１０に送信する（Ｓ３３６）。
【００８９】
その後、表示制御装置１０の行動抽出部１３２は、撮像装置４０から受信した撮像画像撮像画像に基づき、撮像画像に含まれる顧客の行動パターンを抽出（認識）する（Ｓ３４０）。そして、表示制御装置１０の通信部１０４は、表示履歴と、顧客の行動パターンを含む行動データを広告管理サーバ２０に送信する（Ｓ３４４）。
【００９０】
広告管理サーバ２０の広告効果判定部２２４は、参照識別データ記憶部２１４が記憶する参照識別データ、表示制御装置１０から受信した表示履歴および行動データに基づいて、各広告コンテンツの広告効果を判定する（Ｓ３４８）。そして、広告効果記憶部２２８が、広告効果判定部２２４による広告効果の判定結果を記憶する。
【００９１】
＜６．むすび＞
以上説明したように、本実施形態によれば、各広告コンテンツについて、顧客が単に広告コンテンツを見たか否かというだけでなく、広告コンテンツを見た後に広告コンテンツに応じた特定の動作を行ったか否かに基づいて広告コンテンツの有効性を判断する。したがって、本実施形態によれば、広告の有効性の判断精度を向上することが可能である。
【００９２】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、上記では表示装置３０に表示される電子的な広告コンテンツの有効性を判定する例を説明したが、効果の判定対象の広告は電子的な広告コンテンツに限定されない。ポスターや看板のような非電子的な広告媒体にも同様に本実施形態を適用可能である。この場合、表示制御装置１０は、撮像画像から顧客の行動を抽出する機能を有すればよい。
【００９４】
また、上記では表示制御装置１０において顧客の行動を抽出する例を説明したが、本実施形態はかかる例に限定されない。例えば、表示制御装置１０は撮像画像を広告管理サーバ２０に送信し、広告管理サーバ２０において撮像画像から顧客の行動を抽出することも可能である。
【００９５】
また、本明細書の電子広告システムの処理における各ステップは、必ずしもシーケンス図として記載された順序に沿って時系列に処理する必要はない。例えば、電子広告システムの処理における各ステップは、シーケンス図として記載した順序と異なる順序で処理されても、並列的に処理されてもよい。
【００９６】
また、表示制御装置１０および広告管理サーバ２０などに内蔵されるＣＰＵ、ＲＯＭおよびＲＡＭなどのハードウェアを、上述した表示制御装置１０および広告管理サーバ２０の各構成と同等の機能を発揮させるためのコンピュータプログラムも作成可能である。また、該コンピュータプログラムを記憶させた記憶媒体も提供される。
【符号の説明】
【００９７】
１０  表示制御装置
１２  通信網
２０  広告管理サーバ
３０  表示装置
４０  撮像装置
５０  管理者ＰＣ
６２  パンフレット
１０４  通信部
１０８  広告コンテンツ記憶部
１１２  表示スケジュール記憶部
１１６  表示制御部
１２０  表示履歴記憶部
１２４  画像記録部
１２８  撮像画像記憶部
１３２  行動抽出部
１３６  行動データ記憶部
２０４  通信部
２０６  広告管理部
２０８  広告コンテンツ記憶部
２１２  表示スケジュール記憶部
２１４  参照識別データ記憶部
２１６  広告配信部
２１８  履歴情報収集部
２２０  表示履歴記憶部
２２４  広告効果判定部
２２８  広告効果記憶部
２３６  行動データ記憶部
【図１】
0005870749.tif 000002
【図２】
0005870749.tif 000003
【図３】
0005870749.tif 000004
【図４】
0005870749.tif 000005
【図５】
0005870749.tif 000006
【図６】
0005870749.tif 000007
【図７】
0005870749.tif 000008
【図８】
0005870749.tif 000009
【図９】
0005870749.tif 000010
【図１０】
0005870749.tif 000011
【図１１】
0005870749.tif 000012
【図１２】
0005870749.tif 000013
【図１３】
0005870749.tif 000014
【図１４】
0005870749.tif 000015
【図１５】
0005870749.tif 000016